(57)【特許請求の範囲】
【請求項１】
平面から見てほぼＵ字形の膨張部及びその内側の中間高さ位置に構成した膜状の頭部載せ部からなる主枕部と、該主枕部の上部縁に膜状接続片を介して結合した丸棒形の副枕部とで構成し、
前記Ｕ字形の膨張部は枕袋の該当する部位に羽、羽毛及び桐チップを充填して構成し、前記膜状の頭部載せ部は該枕袋の該当する部位に何も充填しないで構成し、前記膜状接続片は該枕袋の該当する部位に何も充填しないで構成し、更に前記丸棒形の副枕部は該枕袋の該当する部位に桐チップを充填して構成してなる枕。
【請求項２】
前記膨張部のＵ字形の底部に相当する部位を、その両側部より中央部が低くなるように構成した請求項１の枕。
【請求項３】
前記枕袋を、最外部から内側に向かって順次綿布、ポリエステル布、綿（わた）、ポリエステル布、綿布を重ね合わせて構成した複合布で所定形状に構成した請求項１又は２の枕。
【請求項４】
前記Ｕ字形の膨張部に充填する羽及び羽毛と桐チップとの割合は、羽及び羽毛：桐チップ＝３：７となるように設定した請求項１、２又は３の枕。
【発明の詳細な説明】
【技術分野】
【０００１】
本発明は、就寝時に頭部をこれに載せて使用する枕であって、特に指圧にも使用することができ、安眠を得ることができる枕に関するものである。
【背景技術】
【０００２】
従来、枕には、その内部に蕎麦殻を充填したものがあり、これが良いものとされてきたが、近時、それではあき足らず、蕎麦殻に加えて天然乾燥させた細い桧の鉋削屑を充填した枕（特許文献１）、茶の毛葉（茎の皮）を主体としこれに荒茶と麦とを適量混入してなる中身材料を詰めた枕（特許文献２）及び矩形をなす薄層のマットの横方向手前より、それぞれの高さ２Ｈ、３Ｈ、４Ｈが、２Ｈ＞４Ｈ、３Ｈ＜４Ｈの関係になるように、内部に杉及び／又は松のチップと蕎麦殻を充填した三個の円筒状袋であって、その高さが順に前記２Ｈ、３Ｈ、４Ｈである三個の円筒状袋を密着状態に並列固着し、それら全体を包被布にて被覆した枕（特許文献３）が提案されている。
【０００３】
前記特許文献１の枕は、枕中に、蕎麦殻に加えて桧の鉋削屑を充填することで桧の香りのする枕を得、これによって使用者の安眠を得ようとするものであり、実際幾分かその効果は得られるものと思われる。しかしそれ以上の作用効果は考えられず、当然、指圧作用等は期待できない。
【０００４】
前記特許文献２の枕は、茶をその中に充填したもので、やはり、主として使用者の安眠を得ようとするものであり、実際幾分かその効果は得られるものと思われる。しかしこの枕もまた前記特許文献１のそれと同様に、それ以上の作用効果は考えられず、当然、指圧作用等は期待できない。
【０００５】
前記特許文献３の枕は、その形状により、仰臥して使用する者の頭部に適切にフィットし、かつその形状が三個の高さの異なる円筒状袋によって得られるものであり、更にその充填材が、前記したように、杉及び／又は松のチップと蕎麦殻との混合材であるため、それぞれに適度の手ごたえのある指圧効果が得られ、かつ杉等による芳香と吸熱作用で安眠が得られるものであるとされ、実際、ある程度そのような作用効果が得られるものと思われる。
【０００６】
特許文献４は、以上の特許文献３の枕を更に改良したものであり、枕袋の中に、茶、桧チップ及びヒバチップからなる充填材を充填した枕本体であって、各々横方向に一定の厚みを持った高枕部と低枕部とからなる枕本体を構成し、該枕本体の高枕部の表面付近には複数のセラミックボールを散在させて指圧部を構成したものである。
【０００７】
以上の特許文献４の枕は、肩部、腰部、背部その他の身体各部の指圧をその指圧部のセラミックボールにより適切に行なうことができるものである。特に指圧部が高枕部に配置され、高枕部の高さが適切に維持されるので、指圧に具合が良い。また指圧の際にも枕袋中の充填材から芳香があり、気分良く指圧を行なうことができる。
【０００８】
【特許文献１】実開平１−１５１７６２号公報
【特許文献２】実開昭６３−６４２６９号公報
【特許文献３】実開平７−１６１号公報
【特許文献４】登録実用新案第３０２６８５６号公報
【発明の開示】
【発明が解決しようとする課題】
【０００９】
本発明は、従来の枕の内、特許文献３及び４の枕の有する作用効果を越えた、よりすぐれた指圧効果を有すると共に、優れた芳香を持ち、安眠及び健康増進効果を備えた枕を提供することを解決の課題とするものである。
【課題を解決するための手段】
【００１０】
本発明の１は、平面から見てほぼＵ字形の膨張部及びその内側の中間高さ位置に構成した膜状の頭部載せ部からなる主枕部と、該主枕部の上部縁に膜状接続片を介して結合した丸棒形の副枕部とで構成し、
前記Ｕ字形の膨張部は枕袋の該当する部位に羽、羽毛及び桐チップを充填して構成し、前記膜状の頭部載せ部は該枕袋の該当する部位に何も充填しないで構成し、前記膜状接続片は該枕袋の該当する部位に何も充填しないで構成し、更に前記丸棒形の副枕部は該枕袋の該当する部位に桐チップを充填して構成してなる枕である。
【００１１】
本発明の２は、本発明の１の枕に於いて、前記膨張部のＵ字形の底部に相当する部位を、その両側部より中央部が低くなるように構成したものである。
【００１２】
本発明の３は、本発明の１又は２の枕に於いて、前記枕袋を、最外部から内側に向かって順次綿布、ポリエステル布、綿（わた）、ポリエステル布、綿布を重ね合わせて構成した複合布で所定形状に構成したものである。
【００１３】
本発明の４は、本発明の１、２又は３の枕に於いて、前記Ｕ字形の膨張部に充填する羽及び羽毛と桐チップとの割合は、羽及び羽毛：桐チップ＝３：７となるように設定したものである。
【発明の効果】
【００１４】
従って本発明１の枕によれば、就寝の際、その他の場合にこれを利用すれば、就寝しながら首や肩等の指圧を行い、また使用の仕方によっては腰部の指圧を行うことも可能である。また優れた芳香を持つものであるため、これを就寝時に利用した場合に、容易に安眠が得られ、健康増進効果を同時に確保することができる。また仰向け及び横向き就寝のいずれにも対応可能であり、更に枕の高さ調節も可能である。加えて桐チップによる防虫効果も確保でき、衛生的に保持できる。
【００１５】
本発明の２の枕によれば、前記膨張部のＵ字形の底部に相当する部位の中央部がその両側部より低くなっているので、仰向けで最も基本的な使用の仕方でこの枕を用いた場合に、首が該Ｕ字形の底部中央付近に安定して位置することとなり、適度な圧力で指圧を受けることができることになる。
【００１６】
本発明の３の枕によれば、枕袋を前記のように複数重の構成にし、その間に綿（わた）を介在させたので、羽、羽毛及び桐チップを充填して構成した膨張部及び桐チップのみを充填して構成した副枕部のいずれでも、それぞれ充填されている桐チップのゴツゴツ感が適度に緩和され、心地よい指圧感を得ることができる。
【００１７】
本発明の４の枕によれば、前記膨張部に充填する羽及び羽毛と桐チップとの割合を適切に調節したので、桐チップのゴツゴツ感を適度に緩和することができ、かつ適切な桐チップ量を確保しているので、桐チップによる防虫効果も十分確保できる。
【発明を実施するための最良の形態】
【００１８】
本発明は、平面から見てほぼＵ字形の膨張部及びその内側の中間高さ位置に構成した膜状の頭部載せ部からなる主枕部と、該主枕部の上部縁（枕に頭を載せた場合に頭頂部に対応することとなる側を上部と称し、頭下部に対応することとなる側を下部と称す）に膜状接続片を介して結合した丸棒形の副枕部とで構成した枕である。
【００１９】
前記Ｕ字形の膨張部は枕袋の該当する部位に羽、羽毛及び桐チップを充填して構成し、前記膜状の頭部載せ部は該枕袋の該当する部位に何も充填しないで構成し、前記膜状接続片は該枕袋の該当する部位に何も充填しないで構成し、更に前記丸棒形の副枕部は該枕袋の該当する部位に桐チップを充填して構成する。
【００２０】
枕全体を一つの枕袋と、これに充填する羽、羽毛及び桐チップによる充填材とで構成し、充填材の充填の仕方で、前記のように、主枕部の膨張部、副枕部、頭部載せ部及び膜状接続片を構成することができる。なお充填部位が主枕部の膨張部や副枕部になり、該枕袋の何も充填しなかった部位が頭部載せ部や膜状接続片になるのは云うまでもない。後者の何も充填しなかった部位は、表裏の該当する部分を縫いつける等により一枚の膜状に構成し、頭部載せ部や膜状接続片として不都合のない状態にする。
【００２１】
前記膨張部は、羽、羽毛及び桐チップの充填量を適切に調整し、そのＵ字形の底部に相当する部位を中央部がその両側より低くなるように構成する。より好ましくは、両側から中央部に向かって凹む大円弧状凹部に構成する。また該膨張部は、そのＵ字形の両側部を下部側から上部側に向かってなだらかに低くなるように構成する。
【００２２】
前記副枕部は、同様に、桐チップの充填量を調整し、前記膨張部のＵ字形の両側部先端の高さと同一か又はこれより低い程度に構成する。
【００２３】
また前記膜状接続片は、必要に応じて、その部位で折って、上記副枕部を主枕部の下方に装入可能な幅を備え、かつ十分な折曲性がある必要がある。該膜状接続片は、前記のように、枕袋の該当する部位に羽、羽毛又は桐チップのような充填材を充填しないで、表裏のそれを接合状態にして構成するものであり、当然、折曲性を確保できる。
【００２４】
なお前記膨張部に充填する羽及び羽毛と桐チップとの割合は、羽及び羽毛：桐チップ＝３：７となるように設定するのが適当である。
【００２５】
また前記枕袋は、最外部から内側に向かって順次綿布、ポリエステル布、綿、ポリエステル布、綿布を重ね合わせて構成した複合布で所定形状に構成するのが適当である。
【００２６】
従って本発明の枕によれば、就寝の際に、後述する種々の態様でこれを用いて、首や肩の指圧作用を受けながら安眠することができる。その際に、標準的な態様の使用では、高さが低い場合は、これを高くして用いることもできるし、横向きで使用することも可能である。就寝以外の場合に用いて腰部の指圧等に利用することも可能である。更には、充填されている桐チップが優れた芳香を持つものであるため、その面でも容易に安眠が得られ、健康増進効果を確保することができる。加えて桐チップによる防虫効果も確保でき、衛生的に保持できるものでもある。なお、使用時には、枕をカバーで被覆するのが適当である。
【００２７】
本発明の枕は、最も基本的には、仰向けになり、主枕部の頭部載せ部に頭部を載せ、膨張部のＵ字形の底部に相当する部位に首部付近を載せて就寝する。このように使用すると、頭部の高さと心臓の高さとがほぼ一致することになり、健康上好都合である。また首の背後側に膨張部の該当する部位が当接し、下方から充填材である桐チップによる刺激が加えられ、適度な指圧作用が加えられることになる。枕袋を、前記のように複数重に構成し、その間に綿を介在させた場合は、羽、羽毛に加えて充填した桐チップのゴツゴツ感が適度に緩和され、心地よい指圧感を得ることができることになる。このとき、膨張部に充填された羽及び羽毛と桐チップとの割合を３：７と前記のように適切に調節してあれば、これによっても桐チップのゴツゴツ感を適度に緩和することができる。
【００２８】
前記頭部載せ部は、Ｕ字形の膨張部の内側でその中間の高さ位置に配されているものであるため、使用時にはその下方に若干の隙間がある。そこで、夏季等には、その下方に冷却剤等を装入しておくことにより、涼しい状態で使用することができる。またこのようなものを装入しない場合であっても、上記のように、頭部載せ部の下方に若干の隙間があるため、熱が籠もらず、比較的涼しい状態を保持することができる。
【００２９】
以上の基本的な用法で頭部の高さが不足する場合は、上部縁の膜状接続片の部分で折り返して副枕部を主枕部の下方に装入して使用することができる。これによって前記頭部載せ部の高さを若干高くし、高さ不足を補うことができる。
【００３０】
枕を上下反転させて、即ち、副枕部を下方にして使用することもできる。この場合は、頭部載せ部に頭部を載せるのは同様であるが、首部が副枕部の上に載ることになる。首部は背後から副枕部による指圧効果を受けることになる。副枕部は、桐チップのみが充填されているので、主枕部の膨張部によるゴツゴツ感よりは若干強いものになる。これが好みの場合は、この用法が適当であることになる。
【００３１】
頭部載せ部の下方に冷却剤を装入することが可能なこと、及び装入しない場合でも熱が籠もりにくいので、比較的涼しい状態を保持できることなどは先に述べたのと同様である。
【００３２】
以上の枕の配置で、肩の指圧を行いたい場合は、頭部を膨張部のＵ字形の底部に対応する部位に載せ、肩を副枕部に載せればよい。
【００３３】
以上の場合は、頭部が若干高い位置に載ることになるが、更に首も高く持ち上げた状態で就寝したい場合は、副枕部を膜状接続片を利用して主枕部の裏側に折り返せばよい。これによって首も適度な高さに上昇し、希望通りにすることができる。
【００３４】
横向きで就寝したい場合は、枕を最初に説明した基本配置、即ち、副枕部を上方にする配置にした上で、膨張部のＵ字形の両側部のいずれかを利用し、その上に頭部を載せて就寝することができる。
【００３５】
腰部や背部の指圧に利用する場合には、複数の枕を使用する。頭部は、先に基本的な用法として示した態様でその付近に枕を配置してその上に載せて使用し、背部及び腰部対応位置に他の枕を適宜配置し、背部等はそれぞれその上に載ればよい。これによって、背部や腰部の対応する部位には、主枕部の膨張部や副枕部が当接し、体重によって加圧され、適度な指圧作用を受けることができる。
【実施例】
【００３６】
この実施例の枕は、図１〜図３に示すように、膨張部１及び頭部載せ部２からなる主枕部３と、該主枕部３の上部縁に膜状接続片４を介して結合した副枕部５とで構成したものである。
【００３７】
前記膨張部１は、同図に示すように、平面から見てほぼＵ字形の構成要素であり、前記頭部載せ部２は、その内側、即ち、Ｕ字形の両側直線部１ａ、１ａ及び底部１ｂに囲まれた部分に配した構成要素である。また該頭部載せ部２は、該膨張部１の内側でその中間の高さ位置に構成した膜状の構成要素である。前記副枕部５は、同図に示すように、丸棒状の構成要素であり、前記のように、前記主枕部３の上部縁に膜状接続片４を介して該上部縁と平行に結合したものである。前記膜状接続片４は、必要に応じて、その部位で折り返して、前記副枕部５を主枕部３の上端下方に装入可能な幅、具体的には約２cmに構成したものである。
【００３８】
この実施例の枕は、図３に示すように、一つの枕袋と、これに充填する羽、羽毛及び桐チップによる充填材６とで構成し、以上の充填材６の充填の仕方で、前記のように、主枕部３の膨張部１、副枕部５、頭部載せ部２及び膜状接続片４を構成する。云うまでもなく、充填材６を充填した部位が主枕部３の膨張部１と副枕部５とになり、該枕袋の何も充填しなかった部位が頭部載せ部２と膜状接続片４とになる。後者の何も充填しなかった部位は、枕袋の表裏の該当する部分を縫い合わせる等により一枚の膜状に構成し、頭部載せ部２や膜状接続片４として不都合のない状態にする。主枕部３の膨張部１及び副枕部５は、該当する部位を以上の頭部載せ部２や膜状接続片４のようには縫い合わせず、その周囲のみを縫い合わせることによって構成する。
【００３９】
前記主枕部３の膨張部１は、その周囲の縫い合わせ状態及び充填材６の充填量を適切に調整することにより、図２に示すように、そのＵ字形の底部１ｂの部位を中央部がその両側より低くなるように構成する。より詳しくは、該底部１ｂを両側から中央部に向かって凹む大円弧状凹部に構成する。また該膨張部１は、その周囲の縫い合わせ状態及び充填材６の充填量を適切に調整することにより、図３に示すように、そのＵ字形の両側直線部１ａ、１ａを下部側から上部側に向かってなだらかに低くなるように構成する。
【００４０】
前記副枕部５は、同様に、その周囲の縫い合わせ状態及び充填材６の充填量を調整することにより、前記膨張部１のＵ字形の両側直線部１ａ、１ａ先端の高さより低い程度に構成する。
【００４１】
前記Ｕ字形の膨張部１に充填する充填材６は、前記羽、羽毛及び桐チップとし、充填する羽及び羽毛と桐チップとの割合は、羽及び羽毛：桐チップ＝３：７に設定する。また前記副枕部５に充填する充填材６は、桐チップのみとする。なお以上の桐チップは、概ね桐の鉋屑が適当であり、場合により、該鉋屑にその他の桐の小片を含むものとしても良い。この実施例では、桐の鉋屑のみを用いた。
【００４２】
また前記枕袋は、図４(a)、(b)に示すように、最外部から内側に向かって順次綿布７ａ、ポリエステル布７ｂ、綿（わた）７ｃ、ポリエステル布７ｂ、綿布７ａを重ね合わせて構成した複合布で前記のように構成したものである。綿７ｃは、外力を加えない状態で約２mmの厚みに介在させる。従って主枕部３の膨張部１及び副枕部５は、図４(a)に示すように、以上の複合布で充填材６を外装した状態となっており、前記主枕部３の頭部載せ部２及び膜状接続片４は、図４(b)に示すように、該複合布が両側から重なり合った状態となっている。
【００４３】
従ってこの実施例の枕によれば、就寝の際に、後述する種々の態様でこれを用いて、首や肩の穏やかな指圧作用を受けながら安眠することができる。その際に、標準的な態様の使用では、高さが低い場合は、これを高くして用いることもできるし、横向きで使用することも可能である。就寝以外の場合に用いて腰部や背中の指圧等に利用することも可能である。更には、充填されている桐チップが優れた芳香を持つものであるため、その面でも容易に安眠が得られ、健康増進効果を確保することができる。加えて桐チップによる防虫効果も確保でき、衛生的に保持できるものでもある。なお、使用時には、枕をカバーで被覆するのが適当である。
【００４４】
この実施例の枕は、先に述べたように、種々の態様で使用できる。各態様の使用例を順次説明する。
【００４５】
最も基本的には、図５に示すように、仰向けになり、主枕部３の頭部載せ部２に頭部を載せ、膨張部１のＵ字形の底部１ｂに首部付近を載せて就寝する。このように使用すると、頭部の高さと心臓の高さとがほぼ一致することになり、健康上好都合である。また首の背後側に膨張部１の底部１ｂが適当な圧力で当接し、下方から充填材６中の桐チップによる刺激が加えられ、適度な指圧作用が加えられることになる。枕袋は、前記のように、複合布で構成し、その間に綿（わた）を介在させてあるものであるため、羽、羽毛に加えて充填した桐チップのゴツゴツ感が適度に緩和され、心地よい指圧感を得ることができる。このとき、該膨張部１に充填された羽及び羽毛と桐チップとの割合を３：７に調節してあるため、これによっても桐チップのゴツゴツ感を適度に緩和することができる。
【００４６】
前記頭部載せ部２は、特に図３に示すように、Ｕ字形の膨張部１の内側でその中間の高さ位置に配されているものであるため、使用時にはその下方に若干の隙間がある。そこで、夏季等には、その下方に冷却剤を装入しておくことにより、涼しい状態で使用することができる。またこのようなものを装入しない場合であっても、上記のように、頭部載せ部２の下方に若干の隙間が生じるため、頭部付近に熱が籠もらず、比較的涼しい状態に保持できる。
【００４７】
以上の基本的な用法で頭部の高さが不足する場合は、図６に示すように、上部縁の膜状接続片４の部分で折り返して副枕部５を主枕部３の上部下方に装入して使用することができる。これによって頭部載せ部２の高さを若干高くし、高さ不足を補うことができる。
【００４８】
枕を上下反転させて、即ち、図７に示すように、副枕部５を下方にして使用することもできる。この場合は、頭部載せ部２に頭部を載せるのは同様であるが、首部が副枕部５の上に載ることになる。首部は背後から副枕部５による指圧効果を受けることになる。副枕部５は、充填材６として桐チップのみが使用されているので、主枕部３の膨張部１によるゴツゴツ感よりはそれが若干強いものになる。これが好みの場合は、この用法が適当であることになる。
【００４９】
頭部載せ部２の下方に冷却剤を装入することが可能なこと、及び装入しない場合でも熱が籠もりにくいので、比較的涼しい状態を保持できることなどは先に述べたのと基本的な用法の場合と同様である。
【００５０】
以上の枕の配置で、肩の指圧を行いたい場合は、図８に示すように、頭部を膨張部１のＵ字形の底部１ｂに載せ、肩を副枕部５に載せればよい。これによって若干ゴツゴツ感の強い副枕部５で肩の指圧を行うことができる。
【００５１】
以上の場合は、頭部が膨張部１のＵ字形の底部１ｂに載っているので、若干高い位置に位置することになるが、更に首も高く持ち上げた状態で就寝したい場合は、図９に示すように、副枕部５を膜状接続片４を利用して主枕部３の裏側に折り返せばよい。これによって首も適度な高さに上昇し、バランスの良い希望通りの状態にすることができる。
【００５２】
横向きで就寝したい場合は、図１０に示すように、枕を最初に説明した基本配置、即ち、副枕部５を上方にする配置にした上で、膨張部１のＵ字形の両側直線部１ａ、１ａのいずれかを利用し、その上に頭部を載せて就寝することができる。
【００５３】
腰部や背部の指圧に利用する場合には、複数の実施例の枕を使用する。頭部は、先に基本的な用法として示した態様で配置した枕に載せて使用し、背部及び腰部は、それらに対応する位置にそれぞれ枕を配置し、その上に載ればよい。これによって、背部や腰部の対応する部位には、主枕部３の膨張部１や副枕部５が当接し、体重によって加圧され、適度な指圧作用を受けることができる。
【図面の簡単な説明】
【００５４】
【図１】実施例の枕を示す概略平面図。
【図２】実施例の枕を示す側面底面図。
【図３】実施例の枕の概略縦断側面図。
【図４】(a)は図３のａ部拡大説明図、(b)は図３のｂ部拡大説明図。
【図５】基本置きで実施例の枕を使用する状態を示した平面説明図。
【図６】基本置きで副枕部を折り返して実施例の枕を使用する状態を示した平面説明図。
【図７】上下反転置きで実施例の枕を使用する状態を示した平面説明図。
【図８】上下反転置きで肩を副枕部の載せて実施例の枕を使用する状態を示した平面説明図。
【図９】上下反転置きで副枕部を折り返して実施例の枕を使用する状態を示した平面説明図。
【図１０】基本置き横向きで実施例の枕を使用する状態を示した平面説明図。
【符号の説明】
【００５５】
１    膨張部
１ａ  Ｕ字形の両側直線部
１ｂ  Ｕ字形の底部
２    頭部載せ部
３    主枕部
４    膜状接続片
５    副枕部
６    充填材
７ａ  綿布
７ｂ  ポリエステル布
７ｃ  綿（わた）
【図１】
0004567550.tif 000002
【図２】
0004567550.tif 000003
【図３】
0004567550.tif 000004
【図４】
0004567550.tif 000005
【図５】
0004567550.tif 000006
【図６】
0004567550.tif 000007
【図７】
0004567550.tif 000008
【図８】
0004567550.tif 000009
【図９】
0004567550.tif 000010
【図１０】
0004567550.tif 000011